(57)【特許請求の範囲】
【請求項１】
香炉を載置するボックス本体において、そのボックス本体の内部に、振動装置と、該振動装置の下面に連接した振動容器と、該振動容器の下方に配した灰容器と、該灰容器の下方に配したブロワーを備え、先端部側がボックス本体の外部に存在し、基端部側がボックス本体の内部に存在するフレキシブルホースを有し、振動装置に設けられた灰吸引口にフレキシブルホースの基端部側が接続されていることを特徴とする香炉灰自動分離装置。
【請求項２】
フレキシブルホースの先端部側を香炉に入れ、ブロワーを作動させてボックス本体の内部を負圧の状態にし、この負圧の引っ張り力を利用して、香炉内の灰と、灰の中に焼け残っている線香や抹香等をフレキシブルホースにより吸い込む請求項１に記載の香炉灰自動分離装置。
【請求項３】
振動装置は、揺動リンク機構を介して、前後方向に揺動可能に取り付けられている請求項１または２に記載の香炉灰自動分離装置。
【請求項４】
振動容器は、底部に振動網フィルターを有する請求項１乃至３のいずれかに記載の香炉灰自動分離装置。
【請求項５】
振動容器は、脱着板を介して、振動装置の下方に着脱可能に取り付けられている請求項１乃至４のいずれかに記載の香炉灰自動分離装置。
【請求項６】
灰容器の上側に飛散防止リングが設置され、該飛散防止リングの内周に、振動容器の底部の振動網フィルター部分が挿入される請求項１乃至５のいずれかに記載の香炉灰自動分離装置。
【請求項７】
ブロワーは、灰フィルターを介して、灰容器の下方に配されている請求項１乃至６のいずれかに記載の香炉灰自動分離装置。
【請求項８】
ボックス本体の下面の四隅に、キャスターを備えている請求項１乃至７のいずれかに記載の香炉灰自動分離装置。
【発明の詳細な説明】
【技術分野】
【０００１】
本発明は、香炉における灰と、灰の中に焼け残っている線香や抹香等を自動的に分離することのできる香炉灰自動分離装置に関するものである。
【背景技術】
【０００２】
永い歴史としきたりに依る仏教寺院および葬儀場等で使用される香炉は、一般的に香炉に灰を入れ、火のついている線香をさして線香を立てたり、また、線香を横に置いて使用するものである。
【０００３】
また、廻し香炉においては、火のついている香炭を灰の上に置き、抹香をつまんで、香炭の上に落とすようにして使用するものである。
【０００４】
そして、香炉を継続的に使用すると、香炉の灰の中に、焼け残っている線香や抹香等が溜まってくる。
【０００５】
例えば、火のついている線香を香炉の灰にさして立てたとき、灰の中に存在する線香の部分は、燃焼せずにそのまま残ってしまう。
【０００６】
また、抹香をつまんで、香炭から離れた所に抹香を落としたときにも、抹香が燃焼せずにそのまま残ってしまう。
【０００７】
その為、香炉をある程度使用したときには、香炉における灰の中から、焼け残っている線香や抹香等を取り除く作業を行う必要性が生じる。
【０００８】
このようなとき、香炉の灰は湿度に依って固まる性質があることから、これらを定期的に掃除する際には、適当な容器と、網の部分を有する笊や篩を用意し、容器に笊や篩を入れ、この笊や篩に香炉の灰と焼け残っている線香や抹香等を載せて揺することで、灰とその他の物を分離して選別していた。
【０００９】
具体的には、焼け残っている線香や抹香等を笊や篩に残し、灰だけを容器に入れていたのである。
【特許文献１】特になし
【発明の開示】
【発明が解決しようとする課題】
【００１０】
この様に、従来においては、容器に笊や篩を入れ、この笊や篩に香炉の灰と焼け残っている線香や抹香等を載せて揺することで、灰とその他の物を分離して選別していたが、この作業中に灰が空中に舞い上がり、作業を行っている者がこの舞い上がった灰を吸い込んでしまう事態が生じていた。
【００１１】
また、作業中に灰が空中に舞い上がり、作業を行っている者の服に灰が付着することもあった。
【００１２】
さらに、灰と焼け残っている線香や抹香等を分離して選別する作業を行うと、周辺に灰がこぼれて汚れるため、その場を何度も掃除しなければならなかった。
【００１３】
しかも、このような香炉が複数あるときには、何度も同じような分離・選別作業、清掃作業を繰り返し行う必要があった。
【００１４】
特に、大きな香炉を掃除する場合は、柄杓等を用いて、灰と焼け残っている線香や抹香等を笊に入れる作業を何度も繰り返す必要があった。
【００１５】
また、このような清掃作業は、風や雨の影響を受け易いことから、強風時や雨天時に作業が全くできなくなるという問題点を有していた。
【００１６】
そこで、本発明は如上のような従来存した諸事情に鑑み創出されたもので、周囲に灰が飛散することなく、香炉における灰と、灰の中に焼け残っている線香や抹香等を自動的に分離することのできる香炉灰自動分離装置を提供することを目的とする。
【課題を解決するための手段】
【００１７】
本発明に係る香炉灰自動分離装置は、香炉を載置するボックス本体において、そのボックス本体の内部に、振動装置と、該振動装置の下面に連接した振動容器と、該振動容器の下方に配した灰容器と、該灰容器の下方に配したブロワーを備え、先端部側がボックス本体の外部に存在し、基端部側がボックス本体の内部に存在するフレキシブルホースを有し、振動装置に設けられた灰吸引口にフレキシブルホースの基端部側が接続されていることで、上述した課題を解決した。
【００１８】
また、フレキシブルホースの先端部側を香炉に入れ、ブロワーを作動させてボックス本体の内部を負圧の状態にし、この負圧の引っ張り力を利用して、香炉内の灰と、灰の中に焼け残っている線香や抹香等をフレキシブルホースにより吸い込むことで、同じく上述した課題を解決した。
【００１９】
さらに、振動装置は、揺動リンク機構を介して、前後方向に揺動可能に取り付けられていることで、同じく上述した課題を解決した。
【００２０】
また、振動容器は、底部に振動網フィルターを有することで、同じく上述した課題を解決した。
【００２１】
加えて、振動容器は、脱着板を介して、振動装置の下方に着脱可能に取り付けられていることで、同じく上述した課題を解決した。
【００２２】
また、灰容器の上側に飛散防止リングが設置され、該飛散防止リングの内周に、振動容器の底部の振動網フィルター部分が挿入されることで、同じく上述した課題を解決した。
【００２３】
さらに、ブロワーは、灰フィルターを介して、灰容器の下方に配されていることで、同じく上述した課題を解決した。
【００２４】
また、ボックス本体の下面の四隅に、キャスターを備えていることで、同じく上述した課題を解決した。
【発明の効果】
【００２５】
本発明に係る香炉灰自動分離装置は、香炉を載置するボックス本体において、そのボックス本体の内部に、振動装置と、該振動装置の下面に連接した振動容器と、該振動容器の下方に配した灰容器と、該灰容器の下方に配したブロワーを備え、先端部側がボックス本体の外部に存在し、基端部側がボックス本体の内部に存在するフレキシブルホースを有し、振動装置に設けられた灰吸引口にフレキシブルホースの基端部側が接続されていることから、周囲に灰が飛散することなく、香炉における灰と、灰の中に焼け残っている線香や抹香等を自動的に分離することができる。
【００２６】
即ち、先端部側がボックス本体の外部に存在し、基端部側がボックス本体の内部に存在するフレキシブルホースを有し、ボックス本体の内部にブロワーを備えていることから、フレキシブルホースの先端部側を香炉に入れ、ブロワーを作動させてボックス本体の内部を負圧の状態にし、この負圧の引っ張り力を利用して、香炉内の灰と、灰の中に焼け残っている線香や抹香等をフレキシブルホースにより吸い込むことができる。
【００２７】
また、ボックス本体の内部に、振動装置と、該振動装置の下面に連接した振動容器と、該振動容器の下方に配した灰容器と、該灰容器の下方に配したブロワーを備え、振動装置に設けられた灰吸引口にフレキシブルホースの基端部側が接続されていることから、フレキシブルホースにより吸い込んだ香炉内の灰と、灰の中に焼け残っている線香や抹香等を、振動装置に送り込むことができる。
【００２８】
そして、振動装置は、振動装置の下面に振動容器を連接していることから、フレキシブルホースにより吸い込んだ香炉内の灰と、灰の中に焼け残っている線香や抹香等を、振動容器内に入れて、充分に振動させることができる。
【００２９】
このとき、振動容器は、底部に振動網フィルターを有することから、香炉内の灰と、灰の中に焼け残っている線香や抹香等を篩にかけたような状態となる。
【００３０】
その為、灰の中に焼け残っている線香や抹香等を振動網フィルターの上に残し、灰だけを振動網フィルターから落下させることができる。
【００３１】
また、振動網フィルターから落下した灰は、振動容器の下方に配した灰容器により受け止められることから、焼け残っている線香や抹香等を取り除いた灰を、灰容器に溜めることができる。
【００３２】
この様にして、香炉における灰と、灰の中に焼け残っている線香や抹香等を自動的に分離することができるのである。
【００３３】
また、振動装置は、揺動リンク機構を介して、前後方向に揺動可能に取り付けられていることから、振動装置の下面に振動容器を連接している状態において、振動装置を後方側に揺動させると、振動装置と振動容器を、若干上方に持ち上げることができる。
【００３４】
その為、振動容器と灰容器の間に所定の隙間を形成して、灰容器の上側に飛散防止リングを設置し易い状態を造ることができる。
【００３５】
また、振動容器は、脱着板を介して、振動装置の下方に取り付けられていることから、振動容器の着脱が容易である。
【００３６】
さらに、灰容器の上側に飛散防止リングが設置され、該飛散防止リングの内周に、振動容器の底部の振動網フィルター部分が挿入されることから、ボックス本体の内部において、灰を飛散させずに、効率良く灰容器内に溜めることができる。
【００３７】
この様にして、香炉における灰と、灰の中に焼け残っている線香や抹香等を、ボックス本体の内部において自動的に分離することから、作業中に灰が空中に舞い上がってしまう事態や、作業を行っている者がこの舞い上がった灰を吸い込んでしまう事態の発生を確実に阻止することができる。
【００３８】
また、作業を行っている者の服に灰が付着することもない。
【００３９】
さらに、周辺に灰がこぼれて汚れることがないことから、その場を何度も掃除する必要もない。
【００４０】
しかも、香炉が複数あるときでも、香炉における灰と、灰の中に焼け残っている線香や抹香等を、ボックス本体の内部において連続して分離することから、誰もが短時間で香炉の清掃作業を行うことができる。
【００４１】
また、香炉における灰と、灰の中に焼け残っている線香や抹香等を、ボックス本体の内部において自動的に分離することから、風や雨の影響を受けることがなく、強風時や雨天時であっても、香炉の清掃作業を行うことができる。
【００４２】
この他、ブロワーは、灰フィルターを介して、灰容器の下方に配されていることから、細かい灰がブロワーに吸い込まれることがなく、ブロワーにおける所定のパワーを維持しながら、連続的に香炉の清掃作業を行うことができる。
【００４３】
また、ボックス本体の下面の四隅に、キャスターを備えていることから、ボックス本体を適宜移動させて、香炉の清掃作業を行うことができる。
【発明を実施するための最良の形態】
【００４４】
以下に、本発明を実施するための最良の形態を、図面を参照して説明する。
【００４５】
本発明に係る香炉灰自動分離装置は、図１に示すように、四角形の箱状に形成されたボックス本体１により構成されている。このボックス本体１は、その下面の四隅にキャスターＫを取り付けてあり、ボックス本体１が自在に移動できるようにしている。
【００４６】
このボックス本体１の前面には、不図示の開閉用の蝶番と所定のストッパー機構を備えている開閉扉６ａ，６ｂ，６ｃが、上下方向に３段に設けられている。
【００４７】
また、ボックス本体１の内部における上側には、図２に示すように、振動装置２と、この振動装置２に連設した振動容器２４を設けている。さらに、振動容器２４の下側には、灰容器３を設けている。また、灰容器３の下側には、灰フィルター４とブロワー５を設けている。
【００４８】
そして、図２に示すように、振動装置２と振動容器２４の設置位置に対応して、上段の開閉扉６ａが設けられている。また、灰容器３の設置位置に対応して、中段の開閉扉６ｂが設けられている。さらに、灰フィルター４とブロワー５の設置位置に対応して、下段の開閉扉６ｃが設けられている。
【００４９】
また、図１・図２に示すように、ボックス本体１の上面には、略中央に香炉Ｐを載置している。この香炉Ｐには、香炉Ｐ内の灰と、灰の中に焼け残っている線香や抹香等を吸い込むためのフレキシブルホースＦＨが接続される。
【００５０】
フレキシブルホースＦＨは、難燃性素材を使用した蛇腹構造のもので、その先端部が、所定の蓋部材７を介して、香炉Ｐの開口部に接続できるようになっている。この蓋部材７は、香炉Ｐの開口部に嵌まるように設置されるものである。
【００５１】
このフレキシブルホースＦＨの基端部は、ボックス本体１の上面の角部に接続されている。そして、フレキシブルホースＦＨは、その全体が略逆Ｕ字状に折り曲げられた状態で、ボックス本体１の上面に配されている。
【００５２】
尚、香炉Ｐは、ボックス本体１の上面のいずれかの位置に載置されるものである。
【００５３】
また、図２に示すように、ボックス本体１の上面の角部に位置しているフレキシブルホースＦＨの基端部には、ボックス本体１の内部において、所定のフレキシブルホースＦＨの先端部が接続されている。
【００５４】
このボックス本体１の内部に配されているフレキシブルホースＦＨの基端部は、振動装置２における前壁９の中央に設けられた灰吸引口２ａに接続されている。ボックス本体１の内部におけるフレキシブルホースＦＨは、柔軟性を有し、振動装置２の振動に対応できるものである。
【００５５】
尚、ボックス本体１の上面における前側の略中央には、後述する振動装置２の振動モータＭと、ブロワー５を作動させるための電源スイッチＳを設けている。
【００５６】
振動装置２は、図４に示すように、下方に開口部を有する四角形の箱体部分８と、この箱体部分８の全体を振動させるための振動モータＭを備えている。
【００５７】
振動装置２を構成する箱体部分８は、開口部の左右両側において、板片を互いに内側に折曲して、全体が略Ｌ字状に形成されたレール２２，２２を設けている。
このレール２２，２２は、図４に示すように、その前側部分が、箱体部分８における前壁９の下端縁よりも下方に突出するように設けられている。
【００５８】
尚、箱体部分８における後壁は、前壁９よりも若干下方に延設されており、レール２２，２２の後側部分は、この後壁に当接するように固定されている。
【００５９】
また、振動装置２における箱体部分８の天井面の略中央に、全体が円柱状に形成された振動モータＭを固定している。
【００６０】
振動装置２を構成する箱体部分８は、図４・図８・図１０（ａ）に示すように、揺動リンク機構Ｒを介して、ボックス本体１の内部において、前後方向に揺動可能に配されている。
【００６１】
揺動リンク機構Ｒは、図２に示すように、ボックス本体１の内部における上方に設置している天板１０に固定されている。
【００６２】
この揺動リンク機構Ｒは、上下に平行に配したアングル部材１１ａ，１１ｂの両端部同士を、２本の支持アーム１２で連結したリンク部材ｒを２組備え、両リンク部材ｒを左右に平行に配置している。
【００６３】
両リンク部材ｒは、アングル部材１１ａ，１１ｂと２本の支持アーム１２を、例えば、リベット止め構成や、ボルトとナット等による支点１３を介して、回動自在に連結している。
【００６４】
そして、図８に示すように、揺動リンク機構Ｒを構成する両リンク部材ｒにおいて、それぞれの上側のアングル部材１１ａをボックス本体１の内部における天板１０に固定している。また、両リンク部材ｒにおいて、それぞれの下側のアングル部材１１ｂを、振動装置２の箱体部分８の上面に固定している。
【００６５】
そのため、振動装置２を構成する箱体部分８は、ボックス本体１の内部において、図１０（ｂ）に示すように、前後方向に揺動可能となるように取り付けられている。
【００６６】
また、振動装置２を構成する箱体部分８は、図７に示すように、灰吸引口２ａ部分において、箱体の内部に向けて、灰排出管１４を取り付けている。この灰排出管１４は、箱体部分８の略中央部分に灰等を落とすことができる長さを有している。
【００６７】
さらに、灰排出管１４の下側である箱体部分８の前側の内部には、図７に示すように、長方形状の傾斜板１５が固定されている。また、箱体部分８の後側の内部にも、長方形状の傾斜板１６が固定されている。両傾斜板１５，１６は、灰排出管１４を介して送り込まれた灰等を箱体部分８の略中央に落とし込むように、傾斜している。この両傾斜板１５，１６は、その先端部分同士が所定の距離を確保するように、箱体部分８の内部に固定されている。
【００６８】
このように構成された振動装置２は、図５・図７・図８に示すように、その下方に振動容器２４を連設している。
【００６９】
振動容器２４は、図６に示すように、バケット状に形成され、その上方における開口縁部に、環状のフランジ部１７を設けている。
【００７０】
また、図６・図７に示すように、振動容器２４の底部には、円形の孔１８が設けられている。この円形の孔１８には、円盤状の振動網フィルター２１が、落とし蓋状に設置されている。
【００７１】
振動網フィルター２１は、図６に示すように、円形の環状に形成された縁部分１９と、縁部分１９の内側に配置した網目部分２０により形成されている。円形の環状に形成された縁部分１９と、網目部分２０の境目には、円形の環状に形成されたスポンジ壁２７を設けている。このスポンジ壁２７は、振動容器２４の底部の孔１８の上方と下方に突出する高さを備えている。
【００７２】
その為、振動容器２４の底部に設けた円形の孔１８に、振動網フィルター２１を設置すると、図７に示すように、振動網フィルター２１の縁部分１９の下面が、振動容器２４の孔１８の周囲に位置している底部の上面に当接する。また、振動網フィルター２１のスポンジ壁２７が、振動容器２４の孔１８の内周面に密着し、孔１８の下方に突出した状態となる。
【００７３】
この振動網フィルター２１は、振動容器２４内に、線香や抹香等の比較的に大きな燃え滓だけを残すための篩の役割をするものである。そして、振動網フィルター２１の網目の大きさが異なるものを複数用意して、その振動網フィルター２１を交換することにより、焼け残っている線香や抹香等のより細かい物まで選別できるようにしている
【００７４】
このように構成された振動容器２４は、図５・図８に示すように、脱着板２６を介して、振動装置２の下方に連設されている。
【００７５】
脱着板２６は、図６に示すように、方形状に形成され、その中央部分に円形の孔２８を設けている。この孔２８は、バケット状に形成された振動容器２４の周壁を貫通させる大きさを有している。また、脱着板２６は、振動装置２を構成する箱体部分８において、開口部の左右両側に設けたレール２２，２２に掛け渡すことのできる幅を有している。
【００７６】
振動装置２の下方に振動容器２４を連設するときには、図６に示すように、振動容器２４の底部の孔１８に振動網フィルター２１を設置してから、脱着板２６の孔２８に、振動容器２４の周壁を上方から貫通させる。
【００７７】
すると、振動容器２４の開口縁部に設けている環状のフランジ部１７の下面が、脱着板２６の孔２８の周囲に位置している上面に当接し、振動容器２４が脱着板２６に取り付けられた状態となる。
【００７８】
この振動容器２４を取り付けている脱着板２６を、図８に示すように、振動装置２を構成する箱体部分８において、開口部の左右両側に設けたレール２２，２２に掛け渡すことで、振動装置２の下方に振動容器２４を連設するのである。
【００７９】
具体的には、図５に示すように、箱体部分８の前壁９の下方に位置している左右両側のレール２２，２２に脱着板２６を宛がい、脱着板２６をレール２２，２２に沿って箱体部分８の後側に向けてスライド移動させて、脱着板２６の全体を箱体部分８のレール２２，２２に掛け渡すのである。
【００８０】
また、図４に示すように、振動装置２の前壁９には、ストッパー２３が設けられている。このストッパー２３は、図９（ａ）（ｂ）に示すように、箱体部分８の左右両側に設けたレール２２，２２に脱着板２６の全体を掛け渡している状態において、振動モータＭにより振動装置２が振動し、それに伴って振動容器２４を取り付けている脱着板２６も振動している時に、箱体部分８のレール２２，２２において、脱着板２６が前側に移動してしまう事態の発生を阻止し、脱着板２６と振動容器２４の落下を防ぐものである。
【００８１】
このストッパー２３は、図９（ａ）（ｂ）に示すように、棒状体２９と、この棒状体２９を上下に移動可能に保持している基礎部３０を備えている。
【００８２】
棒状体２９には、所定の突出片４８を設けている。また、基礎部３０は、振動装置２の前壁９に取り付けた固定板３６と、固定板３６に棒状体２９を保持している保持板３７を備えている。
【００８３】
基礎部３０の保持板３７は、縦方向において、上側溝部３８、中間通路３９、下側溝部４０から成る溝通路を備え、この溝通路は、全体として略コ字状に形成されている。
【００８４】
そして、図９（ａ）に示すように、棒状体２９の突出片４８を、保持板３７の下側溝部４０に係合させたときには、図９（ｂ）に示すように、箱体部分８のレール２２，２２に取り付けている脱着板２６が、前側に移動してしまう事態の発生を阻止した状態となる。
【００８５】
また、棒状体２９の突出片４８を、保持板３７の上側溝部３８に係合させたときには、図５に示すように、箱体部分８のレール２２，２２に、脱着板２６を取り付け可能な状態となる。同様に、箱体部分８のレール２２，２２に取り付けている脱着板２６を取り外し可能な状態となる。
【００８６】
一方、図２に示すように、振動容器２４の下方には、灰容器３が設置されている。また、図１２・図１３に示すように、灰容器３の開口部には、飛散防止リング２５が置かれている。
【００８７】
飛散防止リング２５には、図１３に示すように、振動容器２４の底部を挿入する孔４１を設けている。また、飛散防止リング２５の孔４１には、円形の環状に形成されたスポンジ壁４２を設けている。
【００８８】
この飛散防止リング２５は、固定されずに、灰容器３の開口部に置かれるだけのものである。
【００８９】
飛散防止リング２５は、振動装置２と振動容器２４を若干上方に持ち上げた状態で、灰容器３の開口部に置かれる。
【００９０】
具体的には、図１０（ｂ）に示すように、矢印Ｖ方向から振動装置２を押圧すると、揺動リンク機構Ｒを介して、ボックス本体１の内部において、振動装置２が右方向（ボックス本体１の奥側）に移動する。
【００９１】
このとき、振動装置２は、隙間Ｌ分だけ上方に持ち上げられる。そして、振動装置２は、下方に振動容器２４を連設していることから、この振動容器２４も一緒に上方に持ち上げられる。
【００９２】
この様に、振動装置２と振動容器２４を若干上方に持ち上げた状態で、飛散防止リング２５を灰容器３の開口部にセットするのである。
【００９３】
また、灰容器３自体は、図２に示すように、ボックス本体１の下方に配置している床面４３に設置される。この灰容器３は、床面４３の灰容器ストッパー４４の定位置にセットされるようにしている。
【００９４】
この他、ボックス本体１の床面４３には、図２・図３に示すように、所定の大きさの孔４５が設けられている。そして、この孔４５の下方に、灰フィルター４を設置している。
【００９５】
灰フィルター４は、図１４（ｂ）に示すように、布や紙等を用いてボックス状に形成され、その上方開口部を塞ぐようにして、水平板３２が固定されている。この水平板３２の中央には、円形の孔３３が設けられている。この孔３３は、床面４３の孔４５を介して、ボックス本体１内の振動装置２や灰容器３の存在する空間に連通している。
【００９６】
また、図２・図１４（ａ）に示すように、孔４５が設けられている床面４３の下端の左右両側に、板片を互いに内側に折曲して、全体が略Ｌ字状に形成されたレール３１，３１を設けている。
【００９７】
そして、図２に示すように、このレール３１，３１に、灰フィルター４の水平板３２を宛がい、水平板３２をレール３１，３１に沿ってスライド移動させて、水平板３２の全体をレール２２，２２に掛け渡すのである。
【００９８】
この様にして、床面４３の孔４５に、水平板３２の孔３３を合致させて、床面４３の下端に灰フィルター４が取り付けられるのである。
【００９９】
尚、灰フィルター４内に、火の着いた香炭等が落下してきた場合等を想定し、不図示のピンセットと金属製の容器等を用意しておくと良い。
【０１００】
また、図２・図３に示すように、灰フィルター４の後方側には、仕切板４６を介した隣室に、ブロワー５が配されている。
【０１０１】
この仕切板４６には、所定の孔４７が設けられており、ブロワー５は、仕切板４６の孔４７を介して、灰フィルター４がセットされている空間に連通するようになっている。
【０１０２】
ボックス本体１の内部において、図３に示す斜線で囲まれている部分には、密封対策が施されている。また、各開閉扉６ａ，６ｂ，６ｃから灰フィルター４の後方側の仕切板４６にかけては、例えば、パッキンを使用する等の気密を保持するための気密保持板３４が付設されている。
【０１０３】
この様に、ボックス本体１の内部、特に、振動装置２と灰容器３等が設置されている空間から、灰フィルター４がセットされている空間までにおいて、密封性が維持されていることから、フレキシブルホースＦＨの先端部を、所定の蓋部材７を介して、香炉Ｐの開口部に接続した状態でブロワー５を作動させると、ボックス本体１の内部が負圧の状態になり、この負圧の引っ張り力を利用して、香炉Ｐ内の灰と、灰の中に焼け残っている線香や抹香等をフレキシブルホースＦＨにより吸い込むことができるのである。
【０１０４】
また、ブロワー５設置している空間の後方側には、灰フィルター４を通過して綺麗になった空気をボックス本体１の外部に排出するために、排気口３５を設けている。
【０１０５】
次に、以上のように構成された本発明の最良の形態について、使用・動作の一例を説明する。
【０１０６】
先ず、図１・図２に示すように、ボックス本体１の上面にフレキシブルホースＦＨを取り付けてから、掃除する香炉Ｐをボックス本体１の上面に載置する。
【０１０７】
そして、図１に示すように、フレキシブルホースＦＨの先端部を、蓋部材７を介して、香炉Ｐの開口部に接続する。このとき、香炉Ｐの中に火の着いた香炭があれば、付属のピンセット等で取り除いておく。また、火の着いた線香は、取り除くか、火を消しておく。
【０１０８】
次に、中段の開閉扉６ｂを開けて、ボックス本体１の内部の床面４３に灰容器３を置き、床面４３のストッパー４４の定位置にセットする。
【０１０９】
次に、上段の開閉扉６ａを開けて、ボックス本体１の上面の角部に位置しているフレキシブルホースＦＨの基端部に、ボックス本体１の内部において、所定のフレキシブルホースＦＨの先端部を接続する。また、ボックス本体１の内部に配されているフレキシブルホースＦＨの基端部を、振動装置２における前壁９の中央に設けられた灰吸引口２ａに接続する。
【０１１０】
次に、振動装置２の下方に、振動容器２４を連設する。
【０１１１】
具体的には、振動容器２４の底部の孔１８に振動網フィルター２１を設置してから、脱着板２６の孔２８に、振動容器２４の周壁を上方から貫通させ、脱着板２６に振動容器２４を取り付けた状態とする。
【０１１２】
そして、振動容器２４を取り付けている脱着板２６を、振動装置２を構成する箱体部分８において、開口部の左右両側に設けたレール２２，２２に宛がい、脱着板２６をレール２２，２２に沿って箱体部分８の後側に向けてスライド移動させて、振動装置２の下方に振動容器２４を連設する。
【０１１３】
このとき、振動装置２を押圧すると、揺動リンク機構Ｒを介して、ボックス本体１の内部において、振動装置２と振動容器２４がボックス本体１の奥側に移動する。
【０１１４】
そして、振動装置２と、これに連接している振動容器２４が、若干上方に持ち上げられた状態となり、振動容器２４と灰容器３の間に隙間が生じることから、この隙間を介して、飛散防止リング２５を灰容器３の上側にセットするのである。
【０１１５】
次に、振動装置２と振動容器２４を元の位置に戻すと、飛散防止リング２５の孔４１に、振動容器２４の底部が挿入されることとなる。
【０１１６】
尚、飛散防止リング２５を灰容器３の上側に予めセットしておき、振動装置２をボックス本体１の奥側に移動させた状態で振動装置２に振動容器２４を連接し、
この振動装置２と振動容器２４を元の位置に戻して、飛散防止リング２５の孔４１に、振動容器２４の底部を挿入させるものであっても良い。
【０１１７】
そして、振動装置２のストッパー２３において、棒状体２９の突出片４８を、保持板３７の下側溝部４０に係合させて、箱体部分８のレール２２，２２に取り付けている脱着板２６が、前側に移動してしまう事態の発生を阻止する。
【０１１８】
次に、最下段の開閉扉６ｃを開けて、灰フィルター４をセットする。
【０１１９】
そして、各開閉扉６ａ，６ｂ，６ｃを閉める。
【０１２０】
その後、電源スイッチＳをＯＮにし、ブロワー５を作動させて、香炉Ｐ内の灰と、灰の中に焼け残っている線香や抹香等をフレキシブルホースＦＨにより吸い込ませる。
【０１２１】
吸い込まれた灰と、灰の中に焼け残っている線香や抹香等は、振動装置２内の灰排出管１４から排出され、振動装置２内の傾斜板１５，１６に当たって振動容器２４に送られる。
【０１２２】
このとき、振動装置２の振動モータＭが駆動しているため、底部に振動網フィルター２１を有する振動容器２４内において、灰と、灰の中に焼け残っている線香や抹香等を充分に振動させて、篩にかけたような状態とする。
【０１２３】
そして、灰の中に焼け残っている線香や抹香等を振動網フィルター２１の上に残し、灰だけを振動網フィルター２１から落下させて、灰容器３に溜めるのである。
【０１２４】
尚、飛散防止リング２５の孔４１に、振動容器２４の底部が挿入されているが、これは比較的に緩やかな挿入状態であり、振動容器２４の底部の周壁が、飛散防止リング２５の孔４１に、隙間なくぴったりと嵌まり合っているようなものではない。
【０１２５】
また、飛散防止リング２５は、灰容器３に固定されていないので、振動容器２４が振動すると、振動容器２４の底部が挿入されている飛散防止リング２５も振動し、灰容器３において、空気が流出入する。
【０１２６】
そして、ボックス本体１の内部において、灰が若干舞うことがあるが、この様な灰は、灰フィルター４に集める。
【０１２７】
香炉Ｐが空になったならば、電源スイッチＳをＯＦＦにする。そして、中段の開閉扉６ｂを開けて灰容器３を引き出し、飛散防止リング２５を外して、灰容器３から綺麗になった灰を取り出して、香炉Ｐに入れる。
【０１２８】
また、上段の開閉扉６ａを開け、振動容器２４を脱着板２６と一緒に取り出して、焼け残っている線香や抹香等が集まっている振動網フィルター２１を外して、これらの線香や抹香等を処分する。
【０１２９】
さらに、最下段の開閉扉６ｃを開けて、灰フィルター４に溜まっている灰も香炉Ｐに戻す。
【０１３０】
尚、香炉灰自動分離装置は、掃除しようとする香炉Ｐを置くだけで、香炉Ｐに綺麗な灰が満たされる、完全に自動化した装置として構成することも可能である。
【０１３１】
また、家庭に存在する仏壇の香炉Ｐは、仏教寺院や葬儀場で使用する香炉Ｐと比較して小型であることから、このような小型の香炉Ｐであっても、誰もが簡単に掃除できるコンパクトタイプの装置を構成することも可能である。
【産業上の利用可能性】
【０１３２】
本発明に係る香炉灰自動分離装置は、香炉における灰と、灰の中に焼け残っている線香や抹香等を自動的に分離できること以外に、種々の燃え滓と灰とを自動的に分離する装置として、幅広く利用することができる。
【図面の簡単な説明】
【０１３３】
【図１】香炉灰自動分離装置の全体の構成を示す斜視図である。
【図２】香炉灰自動分離装置の内部の構成を示す側断面図である。
【図３】香炉灰自動分離装置の内部の構成を示す側断面図である。
【図４】振動装置の構成を示す斜視図である。
【図５】振動装置に振動容器を取り付ける状態を示す分解斜視図である。
【図６】脱着板に振動容器を取り付ける状態を示す分解斜視図である。
【図７】振動装置に、脱着板を介して振動容器を取り付けている状態を示す一部拡大の断面図である。
【図８】振動装置に、脱着板を介して振動容器を取り付けている状態を示す正面図である。
【図９】振動装置におけるストッパーの取り付け状態を示すもので、（ａ）はストッパー自体の斜視図、（ｂ）は振動装置の前側にストッパーを固定している状態を示す斜視図である。
【図１０】揺動リンク機構の一例を示し、（ａ）は側面図、（ｂ）は振動装置の揺動前と揺動後との配置関係を示す側面図である。
【図１１】振動装置に連接している振動容器を、飛散防止リングの孔に挿入する状態を示す分解斜視図である。
【図１２】振動装置に連接している振動容器を、飛散防止リングの孔に挿入した状態を示す斜視図である。
【図１３】灰容器の開口部に飛散防止リングを設置する状態を示す分解斜視図である。
【図１４】灰フィルターを取り付けるレールと、灰フィルターの構成を示すもので、（ａ）はレールの取り付け状態を示す断面図、（ｂ）は灰フィルターの斜視図である。
【符号の説明】
【０１３４】
Ｐ…香炉
ＦＨ…フレキシブルホース
Ｈ…ホース
Ｒ…揺動リンク機構
Ｓ…電源スイッチ
Ｍ…振動モータ
Ｌ…隙間
Ｋ…キャスター
１…ボックス本体
２…振動装置
２ａ…灰吸引口
３…灰容器
３ａ…ストッパー
４…灰フィルター
５…ブロワー
６ａ，６ｂ，６ｃ…開閉扉
７…蓋部材
８…箱体部分
９…前壁
１０…天板
１１ａ，１１ｂ…アングル部材
１２…支持アーム
１３…支点
１４…灰排出管
１５，１６…傾斜板
１７…環状のフランジ部
１８…孔
１９…縁部分
２０…網目部分
２１…振動網フィルター
２２…レール
２３…ストッパー
２４…振動容器
２５…飛散防止リング
２６…脱着板
２７…スポンジ壁
２８…孔
２９…棒状体
３０…基礎部
３１…レール
３２…水平板
３３…孔
３４…気密保持板
３５…排気口
３６…固定板
３７…保持板
３８…上側溝部
３９…中間通路
４０…下側溝部
４１…孔
４２…スポンジ壁
４３…床面
４４…ストッパー
４５…孔
４６…仕切板
４７…孔
４８…突出片
【図１】
0004798666.tif 000002
【図２】
0004798666.tif 000003
【図３】
0004798666.tif 000004
【図４】
0004798666.tif 000005
【図５】
0004798666.tif 000006
【図６】
0004798666.tif 000007
【図７】
0004798666.tif 000008
【図８】
0004798666.tif 000009
【図９】
0004798666.tif 000010
【図１０】
0004798666.tif 000011
【図１１】
0004798666.tif 000012
【図１２】
0004798666.tif 000013
【図１３】
0004798666.tif 000014
【図１４】
0004798666.tif 000015